(57)【要約】  本発明は、基部および第１の側壁を有する容器、特に、カップであって、第１の側壁が内向きおよび／または外向きに配置された第１の少なくとも部分的に周方向にある成形部を少なくとも備えている、容器、特に、カップに関する。
2012532072.tif 000002
【特許請求の範囲】
【請求項１】
基部（３）および第１の側壁（２）を有する容器（１）、特に、カップであって、前記第１の側壁（２）が内向きおよび／または外向きに配置された第１の少なくとも部分的に周方向にある成形部（２１）を少なくとも備えている、容器（１）、特に、カップにおいて、前記第１の成形部（２１）は、少なくとも部分的にその高さ（ｈ）が圧縮されていることを特徴とする容器。
【請求項２】
前記第１の成形部（２１）は、少なくとも部分的に弾性的に圧縮されていることを特徴とする、請求項１に記載の容器。
【請求項３】
前記容器（１）は、第２の側壁（２３）を備えており、該第２の側壁（２３）は、前記第１の側壁（２）に接続されており、前記成形部（２１）をその圧縮形状に保持していることを特徴とする、請求項１または２に記載の容器。
【請求項４】
基部（３）、第１の側壁（２）、および第２の側壁（２３）を有する、先行する請求項のいずれか１つに記載の容器（１）において、前記第２の側壁（２３）は、引張力を受けていることを特徴とする、容器。
【請求項５】
前記第１の側壁と前記第２の側壁との間の接続部は、接着、封止、融着、または機械的係止によって、形成されていることを特徴とする、先行する請求項のいずれか１つに記載の容器。
【請求項６】
前記第１の側壁（２）および前記第２の側壁は、少なくとも２つの異なる高さの位置において互いに接続されていることを特徴とする、先行する請求項のいずれか１つに記載の容器。
【請求項７】
前記第１の側壁と前記第２の側壁との間に空隙（５）が存在していることを特徴とする、先行する請求項のいずれか１つに記載の容器。
【請求項８】
少なくとも１つの付加的な第２の成形部（２２，２８）が、異なる高さの位置に配置されていることを特徴とする、先行する請求項のいずれか１つに記載の容器。
【請求項９】
前記第１の成形部および前記第２の成形部は、それらの半径方向長さ（ｒ）が異なっており、前記半径方向長さは、高さ（ｈ１，ｈ２）と共に大きくなっていることを特徴とする、請求項８に記載の容器。
【請求項１０】
前記成形部（２１，２２，２８）は、エンボス部であることを特徴とする、先行する請求項のいずれか１つに記載の容器。
【請求項１１】
１つの側壁（２，２３）は、成形部（２６，２７）を備えており、該成形部（２６，２７）は、他の側壁（２，２３）内に加工されている成形部（２１，２２）と接触していることを特徴とする、先行する請求項のいずれか１つに記載の容器。
【請求項１２】
前記第１の側壁（２）、前記底部（３）、および／または前記第２の側壁（２３）は、少なくとも片側に、前記材料に少なくとも一時的に湿気、液体、油、および／または脂肪に対する耐性をもたらす手段、特に、被膜、含浸材などを備えていることを特徴とする、先行する請求項のいずれか１つに記載の容器。
【請求項１３】
前記側壁（２３）の引張力は、前記第１および第２の側壁（２，２３）間の異なる高さの位置に配置された２つの接続部（６，７）間においてもたらされていることを特徴とする、先行する請求項のいずれか１つに記載の容器。
【請求項１４】
前記第１の側壁または前記第２の側壁の一部が取外し可能になっていることを特徴とする、先行する請求項のいずれか１つに記載の容器。
【請求項１５】
第１の側壁（２）、第２の側壁（２３）、および底部（３）を有する、先行する請求項のいずれか１つに記載の容器（１）において、前記第１の側壁（２）の傾斜角（α）が前記第２の側壁（２３）の傾斜角（β）よりも大きくなっていることを特徴とする、容器。
【請求項１６】
前記第２の側壁（２３）は、１つ、もしくは、２つの接続点（６，７）において、前記第１の側壁（２）および／または前記底部（３）に接続されていることを特徴とする、請求項１５に記載の容器。
【請求項１７】
スペーサ（２１，２２，２５）が前記第１および第２の側壁（２，２３）の間に配置されていることを特徴とする、請求項１５または１６に記載の容器。
【請求項１８】
前記スペーサは、前記第１または第２の側壁（２，２３）内の塑性的に形成された成形部（２１，２２）、特に、エンボス部であることを特徴とする、請求項１７に記載の容器。
【請求項１９】
前記成形部は、その高さ（ｈ）が圧縮されていることを特徴とする、請求項１８に記載の容器。
【請求項２０】
前記容器（１）は、２つの成形部（２１，２２）を備えており、該成形部（２１，２２）は、各々、異なる半径方向長さを有していることを特徴とする、請求項１８または１９に記載の容器。
【請求項２１】
前記２つの側壁（２，２３）は、前記スペーサ（２１，２２，２５）の近傍および／または前記スペーサ（２１，２２，２５）において、互いに接続されていることを特徴とする、請求項１８〜２０のいずれか１つに記載の容器。
【請求項２２】
第１の側壁（２）および前記第１の側壁に接続された基部（３）を有する、先行する請求項のいずれか１つに記載の容器（１）において、前記第１の側壁および前記基部は、それらの下端に外向きに配置されたベベル（１０）を備えていることを特徴とする、容器。
【請求項２３】
前記ベベルは、前記第１の側壁の材料および前記基部の材料の塑性変形によって作製されていることを特徴とする、請求項２２に記載の容器。
【請求項２４】
前記容器（１）は、第２の側壁（２３）を備えており、該第２の側壁（２３）は、前記第１の側壁と前記第２の側壁との間に間隙（５）を形成するように前記第１の側壁の周囲に配置されていることを特徴とする、請求項２２または２３に記載の容器。
【請求項２５】
前記ベベル（１０）は、前記第２の側壁を終端させていることを特徴とする、請求項２４に記載の容器。
【請求項２６】
−カップの側壁断片を設け、該側壁断片を成形し、該側壁断片の端をシームによって接続することと、
−巻付けの前、最中、または後に、内向きまたは外向きに配置された少なくとも１つの周方向にある部分を有する成形部（２１）を前記側壁断片内に導入することと、
−前記成形部（２１）の高さを少なくとも部分的に圧縮することと、
−前記成形部（２１）の前記圧縮形状を固定することと、
によって、容器（１）の側壁を製造するためのプロセス。
【請求項２７】
前記成形部（２１）の前記圧縮状態を固定するために、第２の側壁（２３）が前記第１の側壁（２）に接続されるようになっていることを特徴とする、請求項２６に記載のプロセス。
【請求項２８】
前記第２の側壁（２３）は、２つの異なる高さ（ｈ１，ｈ２）の位置において前記第１の側壁（２）に接続されるようになっていることを特徴とする、請求項２６または２７に記載のプロセス。
【請求項２９】
前記第１の成形部（２１）と平行の他の第２の成形部（２２，２８）が、前記第１の側壁（２）内に配置されるようになっていることを特徴とする、請求項２６〜２８のいずれか１つに記載のプロセス。
【請求項３０】
前記成形部（２１，２２，２８）は、エンボス加工によって行われるようになっていることを特徴とする、請求項２６〜２９のいずれか１つに記載のプロセス。
【請求項３１】
請求項２６〜３０のいずれか１つに記載の容器（１）を製造するための方法において、前記ベベル（１０）は、前記基部（３）が前記第１の側壁（２）に取り付けられた後、前記容器（１）内に塑性的に形成されるようになっていることを特徴とするプロセス。
【請求項３２】
ベベル（１０）を容器内に導入するための工具（１１）において、基部（１５）に傾斜部（１４）を備える周方向壁（１３）を有する軸方向に変位可能な台座（１２）を備えていることを特徴とする、工具。
【発明の詳細な説明】
【技術分野】
【０００１】
本発明は、基部および第１の側壁を有する容器、特に、カップであって、第１の側壁が内向きおよび／または外向きに配置された第１の少なくとも部分的に周方向にある成形部を少なくとも備えている、容器、特に、カップに関する。
【背景技術】
【０００２】
このようなボール紙容器は、最新技術から、例えば、特許文献１、特許文献２、または特許文献３から知られている。しかし、最新技術に記載されているボール紙容器は、多くの場合、製造するのが困難であり、安定性が不十分であり、および／または十分に絶縁されていない。
【先行技術文献】
【特許文献】
【０００３】
【特許文献１】欧州特許第１２２７０４３Ｂ１号明細書
【特許文献２】欧州特許第１２２７０４２Ｂ１号明細書
【特許文献３】米国特許第６，６６３，９２６号明細書
【発明の概要】
【発明が解決しようとする課題】
【０００４】
従って、本発明の目的は、最新技術による容器の不備を有しない容器を提供することにある。
【課題を解決するための手段】
【０００５】
前述の目的を達成するために、基部および第１の側壁を有する容器、特に、カップであって、第１の側壁が内向きおよび／または外向きに配置された第１の少なくとも部分的に周方向にある成形部を少なくとも備えており、該成形部は、少なくとも部分的にその高さが圧縮されている、容器、特に、カップが提供されることになる。
【０００６】
本発明のこの実施形態の開示内容は、本発明の他の実施形態にも適用され、その逆に、本発明の他の実施形態の開示内容は、本発明のこの実施形態にも適用されるものとする。
【０００７】
本発明は、容器に関する。具体的には、容器は、飲料、特にコーヒまたは紅茶のような熱い飲料、または食料、特にスープが入れられるカップである。この容器は、好ましくは、紙、厚紙、ボール紙、繊維材料、プラスチック材料、再生可能および／または生分解可能な素材から得られる材料またはそれらの組合せから作製されている。しかし、紙およびボール紙が、好ましい。好ましくは、この材料は、塑性変形可能、好ましくは、エンボス加工可能であり、さらに好ましくは、弾性変形可能でもある。本発明の容器の全ての部分は、この材料から作製されている。容器の個々の部分が、互いに異なる材料から作製されていてもよい。
【０００８】
特に、液体および／または蒸気を受ける容器の部分の表面は、例えば、湿気、水、水溶液、油、および／または脂肪またはそれらの組合せに対する少なくとも一時的な耐性をこれらの部分にもたらす手段、特に、被膜、含浸材、フィルムなどを備えている。好ましくは、前述の手段は、熱封止可能なものである。
【０００９】
本発明による容器は、第１の側壁を備えており、該第１の側壁は、好ましくは、円錐状に形作られており、さらに好ましくは、その上端に巻リムを有している。第１の側壁は、好ましくは、平坦な断片、好ましくは、ボール紙断片から作製されており、該断片は、この後、その最終形状、好ましくは、円錐形状に成形、好ましくは、巻装されるようになっている。好ましくは、容器を底部で閉鎖するために、側壁は、その下端にて底部に接続されている。基部は、好ましくは、別の部品であり、容器の側壁の下端に取付けられ、さらに好ましくは、接着または熱封止されている。
【００１０】
本発明によれば、第１の側壁は、少なくとも第１の成形部を備えており、該成形部は、少なくとも部分的に、好ましくは、全体的に、第１の側壁の周囲に延在している。この成形部は、内向きに配置されていてもよいし、および／または外向きに配置されていてもよい。すなわち、この成形部は、容器の内容物に向かって配置されていてもよいし、および／または容器の内容物から離れる方に向かって配置されていてもよい。成形部は、交互に内向きおよび外向きに配置されていてもよい。この交互配置は、好ましくは、釣合が取れるようになっている。この成形部は、当業者によって知られているどのような技術によって、例えば、折り畳みまたはどのような他の塑性変形法によって、作製されてもよい。好ましくは、成形部は、断片に（該断片が側壁の最終形状に成形、例えば、巻装される前に）導入されるとよい。さらに好ましくは、成形部は、エンボス部である。エンボス部は、例えば、側壁に局部的に圧力を加え、側壁の材料を塑性変形させることによって作製されるものである。成形部は、当業者によって知られているどのような形状を有していてもよい。しかし、特に軸力、好ましくは、軸方向圧力が側壁に加えられた場合、少なくとも部分的に圧縮可能であるべきである。好ましくは、成形部は、Ｕ字形であり、または少なくとも部分的に円の一部の形状を有している。
【００１１】
本発明によれば、この成形部は、その高さが圧縮されている。すなわち、成形部の圧縮の後、側壁は、その高さが減少している。成形部の高さが圧縮されることによって、好ましくは、成形部の半径方向長さが、少なくとも部分的に増大している。さらに好ましくは、成形部の圧縮は、弾性的である。すなわち、変形力が除去されるや否や、成形部は、少なくとも部分的にその元の形状に戻ることになる。従って、本発明のこの好ましい実施形態では、変形した成形部は、バネとして機能することになる。
【００１２】
好ましくは、本発明の成形部は、成形部をその圧縮状態に保持する手段を備えている。この手段は、好ましくは、第２の側壁であり、該第２の側壁は、第１の側壁に接続されており、成形部をその圧縮状態に保持している。第２の側壁は、第１の側壁の内側にあってもよいし、または外側にあってもよい。２つの側壁は、好ましくは、２つ以上の異なる領域、特に、容器の２つ以上の異なる高さの位置において互いに接続されている。第１の側壁の成形部自体または他の部分が、第２の側壁に接続されていてもよい。
【００１３】
本発明の他の実施形態または好ましい実施形態によれば、第２の側壁は、引張力、特に軸方向引張力を受けている。この引張力は、第１の側壁および／または第２の側壁の剛性を増大させるものである。この引張力は、好ましくは、第２の側壁への第１の側壁の接続および第１の側壁の成形部のバネに似た挙動によって、第２の側壁内に導入されている。
【００１４】
本発明のこの実施形態の開示内容は、本発明の他の実施形態にも適用され、その逆に、本発明の他の実施形態の開示内容は、本発明のこの実施形態にも適用されるものとする。
【００１５】
好ましくは、第２の側壁の引張力は、第１の側壁と第２の側壁との間の異なる高さの位置に配置された２つの接続部間においてもたらされている。
【００１６】
好ましくは、第１の側壁および第２の側壁は、少なくとも部分的に、異なる傾斜角度を有している。好ましくは、容器の中心軸に対する第１の側壁の角度は、該中心軸に対する第２の側壁の角度よりも小さくなっている。本発明のこの好ましい特徴によって、重ねられた容器の抜出が改良されることになる。
【００１７】
好ましくは、第１の側壁と第２の側壁との間の接続部は、接着、封止、融着、または機械的係止によって形成されている。
【００１８】
好ましくは、特に、断熱を目的として、第１の側壁と第２の側壁との間に空隙が存在しているとよい。
【００１９】
好ましくは、第１の側壁および／または第２の側壁は、容器の異なる高さの位置に配置された少なくとも１つの付加的な第２の成形部を備えている。好ましくは、第２の成形部も、その高さが圧縮されている。第１の成形部に関する開示内容は、第２の成形部にも適用されるものとする。さらに好ましくは、第１の成形部および第２の成形部は、特に圧縮された後、それらの半径方向長さが異なっており、好ましくは、この半径方向長さは、容器の高さと共に大きくなっている。この特徴によって、例えば、第２の側壁を第１の側壁の傾斜角度と異なる角度で設けることが可能になる。
【００２０】
好ましくは、特に少なくとも１つの側壁の成形部をその圧縮状態に保持するために、１つの側壁は、他の側壁内に加工された成形部と接触する成形部を備えている。
【００２１】
本発明の好ましい実施形態では、第１の側壁または第２の側壁の一部は、取外し可能になっている。これによって、例えば、取り外された後に情報を示す印刷紙片を形成することができる。この印刷紙片は、側壁の縁に配置されていてもよいし、または側壁内に配置されていてもよく、部分的または完全に取り外されるようになっていてもよい。印刷紙片は、側壁の安定性に影響を及ぼすものではない。
【００２２】
前述の目的を達成するために、第１の側壁、第２の側壁、および底部を有する容器であって、第１の側壁の傾斜角度が第２の側壁の傾斜角度よりも大きくなっている、容器が提供されることになる。
【００２３】
本発明のこの実施形態の開示内容は、本発明の他の実施形態にも適用され、その逆に、本発明の他の実施形態の開示内容は、本発明のこの実施形態にも適用されるものとする。
【００２４】
本発明による容器は、好ましくは、第１の側壁を備えており、該第１の側壁は、好ましくは、円錐状に形作られており、さらに好ましくは、その上端に巻リムを有している。第１の側壁は、好ましくは、平坦な断片、好ましくは、ボール紙断片から作製されており、該断片は、この後、その円錐形状に成形、好ましくは、巻装されるようになっている。好ましくは、容器を底部で閉鎖するために、側壁は、その下端にて基部に接続されている。基部は、好ましくは、別の部品であり、容器の第１の側壁の下端に取付けられ、さらに好ましくは、接着または熱封止されるようになっている。
【００２５】
さらに、本発明の容器は、第２の側壁を備えており、該第２の側壁は、好ましくは、第１の側壁の周囲に配置されている。この第２の側壁は、好ましくは、円錐状に形作られており、さらに好ましくは、平坦な断片、好ましくは、ボール紙断片から作製されており、該断片は、この後、第１の側壁の周囲に成形、特に、巻装されるようになっている。
【００２６】
本発明によれば、第１の側壁の傾斜角度は、第２の側壁の傾斜角度よりも大きくなっている。傾斜角度のこの差によって、良好な絶縁をもたらす空隙が、第１の側壁と第２の側壁との間に形成されることになる。さらに、本発明の容器の積み重ね性が改良されることになる。
【００２７】
好ましくは、第２の側壁は、１つ、好ましくは、２つ以上の接続点または接続領域において、第１の側壁および／または基部に接続されている。この接続は、純粋に機械的でもよいし、接着に基づいていてもよいし、またはそれらの組合せであってもよい。好ましくは、２つの側壁は、一緒に接着または封止されている。
【００２８】
好ましくは、特に、第２の側壁が、例えば、ユーザの手によって圧力を受けた場合でも、第１の側壁と第２の側壁との間の空隙を保持するために、スペーサが、第１の側壁と第２の側壁との間に配置されている。
【００２９】
本発明の好ましい実施形態によれば、このスペーサは、第１の側壁および／または第２の側壁の塑性的な成形部、好ましくは、エンボス部である。好ましくは、この成形部は、少なくとも部分的に、好ましくは、全体的に、第１の側壁の外周または第２の側壁の内周に延在している。成形部が第１の側壁内に設けられている場合、該成形部は、好ましくは、外向き、すなわち、第２の側壁に向かって配置されている。成形部が第２の側壁内に設けられている場合、該成形部は、好ましくは、内向き、すなわち、第１の側壁に向かって配置されている。
【００３０】
この成形部は、当業者によって知られているどのような技術によって、例えば、折り畳みまたはどのような他の塑性変形法によって、作製されてもよい。好ましくは、成形部は、断片、好ましくは、ボール紙断片に（該断片が側壁の最終形状に成形、例えば、巻装される前に）導入されるとよい。さらに好ましくは、成形部は、エンボス部である。エンボス部は、例えば、側壁に局部的に圧力を加え、側壁の材料を塑性変形させることによって作製されるものである。成形部は、当業者によって知られているどのような形状を有していてもよい。しかし、好ましくは、成形部は、特に軸力が側壁に加えられたときに、少なくとも部分的に圧縮可能であるとよい。好ましくは、成形部は、Ｕ字状であり、または部分的に円の一部の形状を有している。好ましい実施形態では、成形部は、その高さが圧縮されている。すなわち、成形部の圧縮の後、側壁は、その高さが減少している。成形部の高さが圧縮されることによって、好ましくは、成形部の半径方向長さが少なくとも部分的に増大している。さらに好ましくは、成形部の圧縮は、弾性的である。すなわち、変形力が除去されるや否や、成形部は、少なくとも部分的にその元の形状に戻ることになる。従って、本発明のこの好ましい実施形態では、変形した成形部は、バネとして機能することになる。
【００３１】
本発明の他の好ましい実施形態では、成形部が圧縮された後、成形部のフランジおよび／または縁が一緒に接続、好ましくは、接着または封止されている。
【００３２】
他の好ましい実施形態によれば、成形部をそれらの圧縮状態に保持するために、第２の側壁が利用されている。加えて、２つの側壁は、好ましくは、２つ以上の異なる領域、特に、容器の２つ以上の異なる高さの位置において互いに接続されている。第１の側壁の成形部自体または他の部分が、第２の側壁に接続されていてもよい。好ましくは、第２の側壁は、引張力、特に、軸方向引張力を受けている。この引張力は、第１の側壁および／または第２の側壁の剛性を増大させるものである。この引張力は、好ましくは、第２の側壁への第１の側壁の接続および第１の側壁の圧縮された成形部のバネに似た挙動によって、第２の側壁内にもたらされている。
【００３３】
他の好ましい実施形態では、スペーサは、好ましくは第１の側壁または第２の側壁の下端に位置するリムである。
【００３４】
前述の目的を達成するために、第１の側壁および第１の側壁に接続された基部を有する容器であって、第１の側壁および基部が、それらの下端に外向きに配置されたベベルを備えている、容器が提供されることになる。
【００３５】
本発明のこの実施形態の開示内容は、本発明の他の実施形態にも適用され、その逆に、本発明の他の実施形態の開示内容は、本発明のこの実施形態にも適用されるものとする。
【００３６】
本発明によれば、第１の側壁および基部は、それらの下端に外向きに配置されたベベルを備えている。このベベルによって、起立安定性を向上させることになる。好ましくは、第１の側壁および基部が一緒に接続、好ましくは、接着または封止された後、ベベルが第１の側壁および基部内に塑性的に形成されるようになっている。好ましくは、ベベルは、垂直軸に対して、３０°から６０°の間の角度、好ましくは、４０°から５０°の間の角度、最も好ましくは、４５°の角度で配置されている。
【００３７】
本発明の好ましい実施形態では、容器は、第２の側壁を備えており、該第２の側壁は、第１の側壁と第２の側壁との間に間隙を形成するように、第１の側壁の周囲に配置されている。さらに好ましい実施形態では、ベベルが、第２の側壁を終端させている。本発明のこの好ましい実施形態は、容器のユーザが第２の側壁の下端によって傷つく危険性を低減させることになる。
【００３８】
本発明の他の実施形態または好ましい実施形態によれば、基部、第１の側壁、および第１の側壁の周囲に配置された第２の側壁を有する容器、特に、カップであって、第２の側壁は、第１の側壁の全周に延在している２つの異なる封止領域において、第１の側壁および／または基部に封止および／または接着されている、カップが提供されることになる。
【００３９】
本発明のこの実施形態の開示内容は、本発明の他の実施形態にも適用され、その逆に、本発明の他の実施形態の開示内容は、本発明のこの実施形態にも適用されるものとする。
【００４０】
本発明の容器は、封止領域が全周に延在していることによって、第２の側壁が付加的な漏れ耐性をもたらすという利点を有している。
【００４１】
本発明の他の実施形態は、
−カップの側壁断片を設け、側壁断片を成形し、側壁断片の両端をシームによって接続することと、
−成形の前、最中、または後に、内向きまたは外向きに配置された少なくとも１つの周方向部分を有する成形部を側壁断片に導入することと、
−成形部の高さを少なくとも部分的に圧縮することと、
−成形部の圧縮された形状を固定することと、
によって、容器の側壁を製造するプロセスである。
【００４２】
本発明のこの実施形態の開示内容は、本発明の他の実施形態にも適用され、その逆に、本発明の他の実施形態の開示内容は、本発明のこの実施形態にも適用されるものとする。
【００４３】
本発明のプロセスによれば、好ましくは平坦な側壁断片が設けられ、例えば、円錐形状に成形される。側壁断片が成形された後またはその最中に、２つの端、好ましくは、向き合った両端が、例えば、接着または封止によって接続される。この側壁の成形の前、最中、または後に、成形部が、側壁内に導入されるようになっているが、側壁の成形前に成形部が導入されると好ましい。その後、成形部は、少なくとも部分的にその高さが圧縮され、これによって、側壁の全高さが減少し、成形部の圧縮状態が固定されることになる。
【００４４】
成形部は、好ましくは、エンボス加工によって側壁断片に導入されるとよい。
【００４５】
成形部のその圧縮状態への固定は、好ましくは、第１の側壁に接続された第２の側壁を設けることによって行われるとよい。さらに好ましくは、第２の側壁は、２つの異なる高さの位置において第１の側壁に接続され、成形部がこれらの接続領域間に位置するようになっているとよい。
【００４６】
好ましくは、第２の成形部が、第１の側壁に配置されるとよく、該第２の成形部は、さらに好ましくは、第１の成形部と平行になっているとよい。
【００４７】
好ましくは、成形部は、エンボス加工によって行われるとよい。
【００４８】
本発明の他の主題は、本発明の容器を製造するためのプロセスであって、基部が第１の側壁に取り付けられた後、ベベルが容器内に塑性的に形成されるようになっている、プロセスである。
【００４９】
本発明のこの実施形態の開示内容は、本発明の他の実施形態にも適用され、その逆に、本発明の他の実施形態の開示内容は、本発明のこの実施形態にも適用されるものとする。
【００５０】
本発明の他の主題は、ベベルを容器内に導入するための工具であって、底部に傾斜部を備えた周方向壁を有する軸方向に変位可能な台座を備えている、工具である。
【００５１】
本発明のこの実施形態の開示内容は、本発明の他の実施形態にも適用され、その逆に、本発明の他の実施形態の開示内容は、本発明のこの実施形態にも適用されるものとする。
【００５２】
工具を軸方向に変位させることによって、台座が容器の下端に押圧され、ベベルを容器、すなわち、第１の側壁および基部の下端に塑性的に形成している。ここで、周方向側壁は、ガイドとして機能し、傾斜部は、塑性変形をもたらすことになる。
【００５３】
以下、図面に基づいて、本発明をさらに詳細に説明する。この説明は、全ての発明に適用されるものである。この説明は、本発明の範囲を制限するものではない。
【図面の簡単な説明】
【００５４】
【図１】本発明の容器の第１の実施形態を示す図である。
【図２ａ−２ｃ】成形部の圧縮を示す図である。
【図３】本発明の容器の第２の実施形態を示す図である。
【図４】本発明の容器の第３の実施形態を示す図である。
【図５】本発明の容器の第４の実施形態を示す図である。
【図６】本発明の容器の第５の実施形態を示す図である。
【図７】多数の成形部を有する本発明の容器の実施形態を示す図である。
【図８】成形部が圧縮された後の図７の実施形態を示す図である。
【図９】成形部の詳細を示す図である。
【図１０】本発明の容器のさらに他の実施形態を示す図である。
【図１１】本発明の容器の他の実施形態を示す図である。
【図１２】本発明の容器のさらに他の実施形態を示す図である。
【図１３】圧縮された成形部を有する本発明の容器を示す図である。
【図１４】本発明の容器のさらに他の実施形態を示す図である。
【図１５】図１４による容器の修正形態を示す図である。
【図１６】下端にリムを有する第２の側壁を有する容器を示す図である。
【図１７】第１の側壁に成形部を有する図１４による容器を示す図である。
【図１８】図１７による容器の修正形態を示す図である。
【図１９】重ねられた２つの容器を示す図である。
【図２０】本発明のボール紙容器を示す図である。
【図２１】２つの側壁を有する本発明のボール紙容器の詳細を示す図である。
【図２２】本発明の工具を示す図である。
【図２３】ベベルの形成を示す図である。
【発明を実施するための形態】
【００５５】
図１は、本発明の容器１の第１の実施形態、ここでは、円錐状に形作られた第１の側壁２および底部３を有するカップを示している。底部３は、別の部品であり、第１の側壁２に取り付けられている。容器１は、全体的に紙またはボール紙から作製されている。第１の側壁および底部３は、商品、例えば、コーヒまたは紅茶のような飲料、清涼飲料、またはスープ、マッシュ、または粥のような食品で満たされる空間を形成している。壁２は、底部３の反対側に位置する上側リム４を有している。側壁は、第１の成形部、ここでは、第１の周方向成形部２１および第２の成形部、ここでは、第２の周方向成形部２２を備えている。これらの成形部は、いずれも、第１の側壁の材料内に塑性的にエンボス加工されたものである。少なくとも１つ、ここでは、両方の成形部は、図２ａ〜図２ｃおよび図９に基づいてさらに説明するように、その高さが圧縮されている。第１の成形部は、高さＨ１の位置において側壁に導入されており、第２の成形部は、異なる高さＨ２の位置において側壁に導入されている。ここでは、これらの成形部は、リム４および底部３の近くに配置されている。しかし、成形部２１，２２を互いに近接するように移動する方が有利な場合があり、および／または成形部２１，２２を容器の中央に向かってさらに移動する方が有利な場合もある。成形部２１，２２は、いずれも、外向きに配置されている。圧縮によって、成形部２１，２２は、いずれも、それらの高さｈが減少しており、それらの半径方向長さｒｘが増大している。圧縮は、弾性的に行われており、圧縮力が除去されるや否や、成形部は、少なくとも部分的にそれらの元の形状に戻ろうとする。従って、成形部２１，２２は、バネとして作用する。成形部２１，２２をそれらの圧縮状態に固定するために、この例による容器は、第２の側壁２３を備えている。第２の側壁２３は、第１の側壁２に、ここでは、それぞれ、成形部２１，２２の頂部に、接続点６，７にて封止または接着されている。第２の側壁２３が第１の側壁２に取り付けられている間、接続部６，７が十分に剛性なものになるまで、成形部２１，２２は、外力によってそれらの圧縮形状に保持されている。成形部２１，２２のバネに似た挙動によって、接続点６，７間において、第１の側壁２は、圧縮力を受け、第２の側壁は、引張力を受けることになる。これらの両方の力によって、それぞれの側壁の安定性が改良されることになる。第１の側壁と第２の側壁との間には、本発明のカップの絶縁を改良する空隙５がもたらされている。成形部２１，２２は、ここでは、２つの側壁２，２３間のスペーサとしても作用している。接続部６，７は、好ましくは、第１の側壁の全周に延在しており、これによって、接続部６，７間において第１の側壁２からの漏れが生じた場合、第２の側壁が付加的な漏れ耐性をもたらすことになる。
【００５６】
空隙５によって、カップが熱い液体で満たされた場合でも、第２の側壁２３の外面の温度は、良好な隔離によって比較的低いことになる。
【００５７】
当業者であれば、第１の成形部２１を設けるのみでも十分な場合があることを理解するだろう。この場合、第２の側壁２３は、該成形部２１に接続されるか、または該成形部２１の上方および該成形部２１の下方の領域に接続されることになる。
【００５８】
第２の側壁２３は、図１に示されているように、第１の壁２の底端まで延在していてもよい。しかし、第２の側壁２３の下端と第１の壁２の底端との間に距離を置くことも可能である。いずれの場合も、第２の壁２３の底縁および／または第１の側壁２の底縁は、積み重ね肩として用いることができる。さらなる成形部、例えば、リングが第１の側壁の底端の近くに配置され、積み重ね肩として用いられてもよい。このリングは、圧縮された成形部として形成されてもよく、下側成形部２２にごく隣接して配置されてもよく、好ましくは、内向きに配置されているとよい。
【００５９】
本発明の容器は、好ましくは、第１の側壁用の平坦な断片を設け、平坦な状態にあるこの断片内に、エンボス部２１，２２を型押しすることによって作製されるようになっている。次いで、該断片は、円錐形状に成形され、該断片の両端が一緒に接着または封止される。その後、エンボス部２１，２２は、それぞれ、圧縮力を加えることによって、その高さが圧縮される。エンボス部がこの圧縮状態に保持されている間に、第２の側壁が、例えば、接着によって、第１の側壁に取り付けられる。好ましくは、第２の側壁は、平坦な断片として供給され、次いで、第１の側壁２の周囲に巻き付けられ、かつ第１の側壁２に取り付けられるとよい。第１の側壁と第２の側壁との間の接続が十分に剛性になった後、圧縮力を除去することができ、本発明の容器が仕上げられることになる。
【００６０】
しかし、第２の壁２３を完全なカップ、すなわち、成形された円錐体として設け、側壁２および底部３をこの第２のカップ、すなわち、円錐体に挿入し、これらを固定しても好ましい。
【００６１】
成形部２１，２２，２６，２７，２８は、側壁が成形、例えば、円錐形状に成形された後、それぞれの側壁２，２３内に導入されてもよい。
【００６２】
成形部を圧縮するために、内側心棒および外側工具が用いられてもよい。
【００６３】
図２から分かるように、成形部２１、ここでは、塑性的なエンボス部は、最初、ある高さｈを有している。この成形部、ここでは、エンボス部２１は、次いで、圧縮力Ｆを加えることによって、少なくとも部分的に弾性的に圧縮される（図２ｂ）。この力Ｆによって、成形部の高さが減少し、成形部２１の半径方向長さが増大する。図２ｃから分かるように、成形部２１の圧縮は、成形部２１の側面および／または成形部の縁８が少なくとも部分的に互いに接触するまで、さらに強められてもよい。ここで、リング２１は、平坦である。力Ｆが除去されるや否や、成形部２１は、図２ａに示されている形状に少なくとも部分的に戻ろうとし、これによって、成形部は、バネとして作用することになる。従って、成形部は、それらの圧縮状態に固定されなければならない。
【００６４】
図１による容器の他の実施形態が、図３に示されている。図１に関する開示内容を参照されたい。ここでは、第２の成形部は、第２の側壁２３の下端におけるリム２５に置き換えられている。リム２５は、スペーサとして作用するものであり、第１の側壁に接続されている。接続部６，７は、好ましくは、第１の側壁２の全周に延在しており、これによって、接続部６，７間において第１の側壁２に漏れが生じた場合、第２の側壁が、付加的な漏れ耐性をもたらすことになる。
【００６５】
図１による容器の他の実施形態が、図４に示されている。図１に関する開示内容を参照されたい。ここでは、第２の成形部２８は、容器の中央に向かって移動しており、この第２の側壁２８は、第１の成形部２１の半径方向長さｒ１よりも小さい半径方向長さｒ２を有している。第２の側壁２３は、ここでは、リム４の近傍および第１の側壁２の下端において、第１の側壁２に取り付けられており、第２の側壁２３は、第１の側壁２の（回転軸に対する）傾斜角度よりも大きい傾斜角度を有している。接続部６，７は、好ましくは、第１の側壁の全周に延在しており、これによって、接続部６，７間において第１の側壁２に漏れが生じた場合、第２の側壁が、付加的な漏れ耐性をもたらすことになる。
【００６６】
図５は、本質的に図４による実施形態を示している。しかし、ここでは、第２の側壁２３は、曲げられている。その他の点については、図４に関する開示内容を参照されたい。
【００６７】
図６では、第２の側壁２３は、成形部２６，２７を備えている。成形部２６，２７は、成形部２１，２２に形状および位置において対応しており、従って、成形部２１，２２をそれらの圧縮状態に固定することができる。成形部２６，２７と成形部２１，２２との間の接続は、好ましくは、純粋に機械的である。しかし、機械的な接続と接着、封止、または融着による接続との組合せも好ましい。その他の点については、図１に関する開示内容を参照されたい。
【００６８】
以下、図７について説明する。第１の側壁２および第２の側壁２３において、他の成形部２８が設けられてもよい。成形部２８は、どの方向を向いていてもよく、圧縮されていてもよい。このような付加的な成形部２８は、例えば、第１の側壁２と第２の側壁２３との間のスペーサとして用いられてもよいし、および／またはそれぞれの側壁の剛性を増大させるために設けられてもよい。
【００６９】
図８は、圧縮された成形部２１，２２，２８を有する図７による容器を示している。
【００７０】
図９を参照すると、側壁２または２３および底部３は、紙、ボール紙、繊維材料、またはそれらの組合せから作製されており、内側には、例えば、ＰＥ被膜９が設けられている。被膜９として、他の周知の材料、また再生可能な材料が適用されてもよい。これらの材料は、必ずしも封止されている必要がない。被膜９は、全面に施されていてもよいし、または部分的に施されていてもよい。しかし、被膜９は、少なくともカップ１の全内面に施されているべきである。何故なら、基部材料が容器の内容物に対して耐性を有していない場合、壁２の軟化が抑えられるからである。
【００７１】
図１０は、本発明のさらに他の実施形態を示している。ここでは、成形部を有する側壁は、内側側壁の外側に配置されている。成形部は、好ましくは、圧縮されている。側壁は、２つの位置６，７において互いに接続されている。その他の点については、他の図およびそれらの図の説明を参照されたい。
【００７２】
一般的に、周方向リング／成形部は、カップ１の側壁２，２３を強化するものである。カップ１のユーザによる望ましくない圧縮は、もはや生じることがない。代替的または付加的に、側壁２，２３の材料強度を低減させることができ、および／または用いられる剛性材料を少なくすることができる。
【００７３】
外向きに配置された成形部が外側側壁内に導入される場合、カップ１が無意識にユーザの手から滑り落ちることが防止されることになる。
【００７４】
本発明によれば、二重壁式の軽くて極めて安定した構造を呈するカップ１を提供することができる。種々の形状、例えば、三角形状または楕円形状を有する包装体、または他の断面を有する容器を製造することもできる。
【００７５】
図１１は、第１の側壁２を備える本発明の容器１を示している。第１の側壁２は、その上端にリム４を備えており、その下端にて底部３に接続されている。第１の側壁２は、ここでは、円錐形状に成形されてその両端が互いに接着されている平坦なボール紙断片から作製されている。第１の側壁の周囲には、第２の側壁２３が配置されている。第２の側壁２３は、接続領域６，７において、リム４および側壁２の下端に接続されている。第２の側壁も平坦なボール紙断片から作製されており、該断片は、第１の側壁の周囲に巻かれ、円錐形状に成形されている。本発明によれば、第１の側壁の傾斜角度αは、第２の側壁の傾斜角度βよりも大きくなっている。
【００７６】
傾斜角度のこの差によって、間隙５が２つの側壁間に形成されることになる。本発明の容器は、ここでは、ボール紙から作製されており、本発明の容器が軟化されない期間を延ばすために、少なくとも、容器内に充填される食品または飲料と直接接触する表面に、被膜を備えている。
【００７７】
図１２は、本質的に図１１による容器を示している。しかし、ここでは、第１の側壁は、２つの異なる高さの位置に成形部２１，２２を備えている。第１の成形部２１は、第２の成形部２２の半径方向長さｒ２よりも大きい半径方向長さｒ１を有している。成形部２１，２２は、第１の側壁２と第２の側壁２３との間のスペーサとして作用し、これによって、第２の側壁が、例えば、ユーザの手によって圧縮された場合でも、空隙５が保持されることが確実なものになる。ここでは、第２の側壁は、接続領域６，７において第１の側壁に取り付けられている。しかし、当業者であれば、付加的または代替的に、第２の側壁が成形部２１，２２の頂部に取り付けられてもよいことを理解するだろう。
【００７８】
代替例が、図１３に示されている。ここでは、第２の側壁２３を利用して、図２ｂまたは図２ｃに示されているように、成形部２１，２２をそれらの圧縮状態に保持している。これは、成形部を圧縮し、該成形部をそれらの圧縮状態に保持しながら、第２の側壁を成形部２１，２２の頂部において第１の側壁に直接接続するか、または図１３に示されているように、第２の側壁をリム４および第１の側壁２の下端において第１の側壁に接続することによって、行われる。この接続部６，７が剛性なものになるや否や、成形部２１，２２は、第２の側壁２３によってそれらの圧縮状態に保持されることになる。付加的に、第１の側壁２は、少なくとも部分的に圧縮力を受け、側壁２３は、少なくとも部分的に引張力を受け、これによって、全構造の剛性が改良されることになる。
【００７９】
図１４は、図１２または図１３による実施形態の修正形態を示している。ここでは、第２の側壁の長さが短くなっており、第２の側壁は、ここではリム４および第２の側壁２２の頂部に接続されている。
【００８０】
図１５は、図１４による実施形態の修正形態を示している。ここでは、第２の側壁は、第１の成形部２１および第２の成形部２２に取り付けられている。
【００８１】
図１６は、図１１による容器の修正形態を示している。ここでは、第２の側壁２３の長さは短くなっており、その下端には、リム２５がスペーサとして配置されている。リム２５は、接続領域７において第１の側壁に接続されている。
【００８２】
図１７は、図１４による実施形態の修正形態を示している。ここでは、成形部２１は、付加的なスペーサとして、および／または第２の側壁に引張力をもたらすために、第１の側壁に配置されている。
【００８３】
図１８では、図１７による実施形態の修正形態が示されている。ここでは、第２の側壁は、第１の側壁のリム４に接触しておらず、接続領域７において第１の側壁にそのリム２５によって接続されている。
【００８４】
図１９は、重ねられた２つの容器１を示している。側壁２と比較して、側壁２３の傾斜角度が小さいことによって、２つの容器１は、噛合っていない。
【００８５】
図２０は、第１の側壁２を有する本発明の容器１、ここでは、ボール紙容器を示している。この側壁は、その上端に上側リムを有しており、その下端にて基部３に接続、好ましくは、接着または封止されている。基部３および側壁２は、容器１の充填容積を画定している。本発明によれば、ベベル（bevel）が、側壁および基部の下端内に塑性的に形成されている。ベベルは、外方に延在しており、本発明の容器が起立する領域を増大させるものである。従って、本発明の容器１の起立安定性が高められることになる。
【００８６】
図２１は、本発明の好ましい実施形態を示している。ここでは、本発明の容器は、第２の側壁２３を備えており、該第２の側壁２３は、間隙、好ましくは、空隙５を形成するように第１の側壁の周囲に配置されている。第２の側壁２３は、第１の側壁２および／または基部３の下端の上方で終端している。図２１から分かるように、ベベル１０は、第２の側壁２３の下端２３．１を終端させている。従って、第２の側壁の下端は、機械的な影響から保護され、加えて、ユーザは、例えば、第２の側壁の下端２３．１において傷、例えば、切傷を負うことがない。
【００８７】
図２２は、本発明の工具１１を示している。工具１１は、両矢印によって示されているように、軸方向に変位可能な台座１２を備えている。この台座は、側壁１３を備えている。側壁１３は、台座が基部３の凹部１６の中央に配置されることを確実なものとするガイド手段として機能する。さらに、台座１２は、側壁１３の下端に傾斜部１４を備えている。傾斜部１４は、ここでは、４５°の角度で配置されている。
【００８８】
図２３から分かるように、本発明のベベルを形成するために、工具１１は、本発明の容器の下端に向かって移動され、台座１２の上端１７が凹部の上端に接触するまで、容器の凹部１６内に挿入されるようになっている。台座１２の挿入中、ベベルが、側壁２および基部３の下端に形成されることになる。
【符号の説明】
【００８９】
１  包装体、容器、カップ
２  第１の側壁、内側側壁
３  基部、底部
４  上側リム、曲げリム
５  間隙、空隙
６  接続点、接続領域
７  接続点、接続領域
８  縁
９  被膜
１０  ベベル
１１  工具
１２  台座
１３  周方向壁
１４  傾斜部
１５  基部
１６  凹部
１７  台座の上端
２１  第１の成形部、第１のエンボス部
２２  第２の成形部、第２のエンボス部
２３  第２の側壁、外側側壁
２３．１  第２の側壁の下端
２２  成形部、エンボス部
２５  曲げリム
２６  固定手段、エンボス部
２７  固定手段、エンボス部
２８  第２の成形部、第２のエンボス部
Ｆ  成形部に対する力、軸力、圧力、圧縮力
ｒ  成形部、エンボス部の半径方向長さ
ｈ  成形部、エンボス部の高さ、高さ寸法
Ｈｘ  成形部が位置している容器の高さ
ｒ１  第１の成形部、第１のエンボス部の半径方向長さ
ｒ２  第２の成形部、第２のエンボス部の半径方向長さ
α  第１の側壁の傾斜角度
β  第２の側壁の傾斜角度
【図１】
2012532072.tif 000003
【図２ａ】
2012532072.tif 000004
【図２ｂ】
2012532072.tif 000005
【図２ｃ】
2012532072.tif 000006
【図３】
2012532072.tif 000007
【図４】
2012532072.tif 000008
【図５】
2012532072.tif 000009
【図６】
2012532072.tif 000010
【図７】
2012532072.tif 000011
【図８】
2012532072.tif 000012
【図９】
2012532072.tif 000013
【図１０】
2012532072.tif 000014
【図１１】
2012532072.tif 000015
【図１２】
2012532072.tif 000016
【図１３】
2012532072.tif 000017
【図１４】
2012532072.tif 000018
【図１５】
2012532072.tif 000019
【図１６】
2012532072.tif 000020
【図１７】
2012532072.tif 000021
【図１８】
2012532072.tif 000022
【図１９】
2012532072.tif 000023
【図２０】
2012532072.tif 000024
【図２１】
2012532072.tif 000025
【図２２】
2012532072.tif 000026
【図２３】
2012532072.tif 000027
【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
基部（３）および第１の側壁（２）を有する容器（１）、特に、カップであって、前記第１の側壁（２）が内向きおよび／または外向きに配置された第１の周方向にある成形部（２１）を少なくとも備えている、容器（１）、特に、カップにおいて、前記第１の成形部（２１）は、その高さ（ｈ）が圧縮されていることを特徴とする容器。
【請求項２】
前記第１の成形部（２１）は、弾性的に圧縮されていることを特徴とする、請求項１に記載の容器。
【請求項３】
前記容器（１）は、第２の側壁（２３）を備えており、該第２の側壁（２３）は、前記第１の側壁（２）に接続されており、前記成形部（２１）をその圧縮形状に保持していることを特徴とする、請求項１または２に記載の容器。
【請求項４】
基部（３）、第１の側壁（２）、および第２の側壁（２３）を有する、先行する請求項のいずれか１つに記載の容器（１）であって、前記第２の側壁（２３）が前記第１の側壁（２）に接続されている、容器（１）において、前記第２の側壁（２３）は、前記第１の側壁内の成形部（２１）のバネに似た挙動によって前記第２の側壁内に導入された軸方向引張力を受けていることを特徴とする、容器。
【請求項５】
前記第１の側壁と前記第２の側壁との間の接続部は、接着、封止、融着、または機械的係止によって、形成されていることを特徴とする、先行する請求項のいずれか１つに記載の容器。
【請求項６】
前記第１の側壁（２）および前記第２の側壁は、少なくとも２つの異なる高さの位置において互いに接続されていることを特徴とする、先行する請求項のいずれか１つに記載の容器。
【請求項７】
前記第１の側壁と前記第２の側壁との間に空隙（５）が存在していることを特徴とする、先行する請求項のいずれか１つに記載の容器。
【請求項８】
少なくとも１つの付加的な第２の成形部（２２，２８）が、異なる高さの位置に配置されていることを特徴とする、先行する請求項のいずれか１つに記載の容器。
【請求項９】
前記第１の成形部および前記第２の成形部は、それらの半径方向長さ（ｒ）が異なっており、前記半径方向長さは、高さ（ｈ１，ｈ２）と共に大きくなっていることを特徴とする求項８に記載の容器。
【請求項１０】
前記成形部（２１，２２，２８）は、エンボス部であることを特徴とする、先行する請求項のいずれか１つに記載の容器。
【請求項１１】
１つの側壁（２，２３）は、成形部（２６，２７）を備えており、該成形部（２６，２７）は、他の側壁（２，２３）内に加工されている成形部（２１，２２）と接触していることを特徴とする、先行する請求項のいずれか１つに記載の容器。
【請求項１２】
前記第１の側壁（２）、前記底部（３）、および／または前記第２の側壁（２３）は、少なくとも片側に、前記材料に少なくとも一時的に湿気、液体、油、および／または脂肪に対する耐性をもたらす手段、特に、被膜、含浸材などを備えていることを特徴とする、先行する請求項のいずれか１つに記載の容器。
【請求項１３】
前記側壁（２３）の引張力は、前記第１および第２の側壁（２，２３）間の異なる高さの位置に配置された２つの接続部（６，７）間においてもたらされていることを特徴とする、先行する請求項のいずれか１つに記載の容器。
【請求項１４】
前記第１の側壁または前記第２の側壁の一部が取外し可能になっていることを特徴とする、先行する請求項のいずれか１つに記載の容器。
【請求項１５】
第１の側壁（２）、第２の側壁（２３）、および底部（３）を有する、先行する請求項のいずれか１つに記載の容器（１）において、前記第１の側壁（２）の傾斜角（α）が前記第２の側壁（２３）の傾斜角（β）よりも大きくなっていることを特徴とする、容器。
【請求項１６】
前記第２の側壁（２３）は、１つ、もしくは、２つの接続点（６，７）において、前記第１の側壁（２）および／または前記底部（３）に接続されていることを特徴とする、請求項１５に記載の容器。
【請求項１７】
スペーサ（２１，２２，２５）が前記第１および第２の側壁（２，２３）の間に配置されていることを特徴とする、請求項１５または１６に記載の容器。
【請求項１８】
前記スペーサは、前記第１または第２の側壁（２，２３）内の塑性的に形成された成形部（２１，２２）、特に、エンボス部であることを特徴とする、請求項１７に記載の容器。
【請求項１９】
前記成形部は、その高さ（ｈ）が圧縮されていることを特徴とする、請求項１８に記載の容器。
【請求項２０】
前記容器（１）は、２つの成形部（２１，２２）を備えており、該成形部（２１，２２）は、各々、異なる半径方向長さを有していることを特徴とする、請求項１８または１９に記載の容器。
【請求項２１】
前記２つの側壁（２，２３）は、前記スペーサ（２１，２２，２５）の近傍および／または前記スペーサ（２１，２２，２５）および／または前記曲げリム（２５）において、互いに接続されていることを特徴とする、請求項１８〜２０のいずれか１つに記載の容器。
【請求項２２】
第１の側壁（２）および前記第１の側壁に接続された基部（３）を有する、先行する請求項の１つに記載の容器（１）において、前記第１の側壁および前記基部は、それらの下端に外向きに配置されたベベル（１０）を備えていることを特徴とする、容器。
【請求項２３】
前記ベベルは、前記第１の側壁の材料および前記基部の材料の塑性変形によって作製されていることを特徴とする、請求項２２に記載の容器。
【請求項２４】
前記容器（１）は、第２の側壁（２３）を備えており、該第２の側壁（２３）は、前記第１の側壁と前記第２の側壁との間に間隙（５）を形成するように前記第１の側壁の周囲に配置されていることを特徴とする、請求項２２または２３に記載の容器。
【請求項２５】
前記ベベル（１０）は、前記第２の側壁を終端させていることを特徴とする、請求項２４に記載の容器。
【請求項２６】
−カップの側壁断片を設け、該側壁断片を成形し、該側壁断片の端をシームによって接続することと、
−巻付けの前、最中、または後に、内向きまたは外向きに配置された少なくとも１つの周方向にある部分を有する成形部（２１）を前記側壁断片内に導入することと、
−前記成形部（２１）の高さを少なくとも部分的に圧縮することと、
−前記成形部（２１）の前記圧縮形状を固定することと、
によって、容器（１）の側壁を製造するためのプロセス。
【請求項２７】
前記成形部（２１）の前記圧縮状態を固定するために、第２の側壁（２３）が前記第１の側壁（２）に接続されるようになっていることを特徴とする、請求項２６に記載のプロセス。
【請求項２８】
前記第２の側壁（２３）は、２つの異なる高さ（ｈ１，ｈ２）の位置において前記第１の側壁（２）に接続されるようになっていることを特徴とする、請求項２６または２７に記載のプロセス。
【請求項２９】
好ましくは前記第１の成形部（２１）と平行の他の第２の成形部（２２，２８）が、前記第１の側壁（２）内に配置されるようになっていることを特徴とする、請求項２６〜２８のいずれか１つに記載のプロセス。
【請求項３０】
前記成形部（２１，２２，２８）は、エンボス加工によって行われるようになっていることを特徴とする、請求項２６〜２９のいずれか１つに記載のプロセス。
【国際調査報告】
2012532072.tif 000028
2012532072.tif 000029
2012532072.tif 000030
2012532072.tif 000031
2012532072.tif 000032
2012532072.tif 000033